(57)【要約】【課題】  所望のデジタル写真プリントの画像をデジタルカメラで撮影した際の撮影時における付属情報等を、そのデジタル写真プリントから簡単かつ直接的に取得することができるデジタル写真プリントを実現可能な記録装置を提供する。【解決手段】  メモリカードスロット３６に挿入されたメモリカード３０１からユーザが選択したＥｘｉｆ形式等のデジタル画像ファイルＦが読み込まれる。記録を実行する操作がなされると、画像データＤの画像Ｇが記録紙Ｐ１の記録面へ記録されるとともに付属情報Ｔの二次元コードＢ１が記録紙Ｐ１の記録面又は裏面へ記録されてデジタル写真プリントが作成される。作成されたデジタル写真プリントに記録されているＥｘｉｆ情報の二次元コードＢ１は、携帯電話４０のカメラ機能等を利用した公知のコード読み取り装置４１で読み取って携帯電話４０の表示部４２に付属情報Ｔの内容を表示させることができる。【選択図】図５
2007267112.tif 000002
【特許請求の範囲】
【請求項１】
デジタル画像ファイルを入力可能なデジタル画像ファイル入力手段と、ユーザインタフェース手段と、被記録材への記録を実行可能な構成を有する記録実行手段と、
前記デジタル画像ファイル入力手段の制御、前記ユーザインタフェース手段の制御及びデジタル画像ファイルの画像を前記記録実行手段で被記録材の記録面に記録する制御を実行可能な構成を有する記録制御装置とを備えた記録装置であって、
前記記録制御装置は、所定形式のコードデータを生成可能なコード生成部を有し、
前記ユーザインタフェース手段によるユーザの操作に応じて、前記デジタル画像ファイル入力手段で入力したデジタル画像ファイルの画像データの画像を被記録材の記録面へ記録するとともに、デジタルカメラでの撮影時における付属情報が画像データとともに保存されているファイル形式のデジタル画像ファイルである場合には、前記コード生成部で当該デジタル画像ファイルに含まれる前記付属情報のコードデータを生成し、生成した前記付属情報のコードデータのコードを当該被記録材の記録面又は裏面へ記録する、ことを特徴とした記録装置。
【請求項２】
請求項１において、前記コード生成部は、前記付属情報に含まれる各種情報の中で前記ユーザインタフェース手段を介してユーザが選択した情報のみ抽出してコードデータを生成する、ことを特徴とした記録装置。
【請求項３】
請求項１又は２において、被記録材に記録されている前記所定形式のコードを読み取り可能なコード読み取り手段を備え、
前記記録制御装置は、前記所定形式のコードデータを解読してコードに含まれる情報を取得するコード解読部を有し、
前記ユーザインタフェース手段によるユーザの操作に応じて、前記コード読み取り手段で読み取ったコードのデータを前記コード解読部で解読して前記付属情報を取得し、取得した前記付属情報を前記ユーザインタフェース手段でユーザに表示する、ことを特徴とした記録装置。
【請求項４】
請求項３において、前記記録制御装置は、前記ユーザインタフェース手段を介してユーザが設定した条件でデジタル画像ファイルの画像データの画像処理を実行する画像処理部を有し、
前記ユーザインタフェース手段によるユーザの操作に応じて、前記デジタル画像ファイル入力手段で入力したデジタル画像ファイルの画像データの画像を被記録材の記録面へ記録するとともに、当該デジタル画像ファイルの画像データの画像を被記録材に記録したときの画像処理設定のコードデータを前記コード生成部で生成し、生成した前記画像処理設定のコードデータのコードを当該被記録材の記録面又は裏面へ記録する、ことを特徴とした記録装置。
【請求項５】
請求項４において、前記記録制御装置は、前記ユーザインタフェース手段によるユーザの操作に応じて、前記コード読み取り手段で読み取られたコードのデータを前記コード解読部で解読して前記画像処理設定を取得し、取得した前記画像処理設定を前記ユーザインタフェース手段でユーザに表示し、取得した前記画像処理設定の内容で前記画像処理部の設定を自動設定する、ことを特徴とした記録装置。
【請求項６】
請求項１〜５のいずれか１項において、前記記録制御装置は、前記ユーザインタフェース手段によるユーザの操作に応じて、前記デジタル画像ファイル入力手段で入力したデジタル画像ファイルの画像データの画像を被記録材の記録面へ記録するとともに、当該デジタル画像ファイルの保存場所を特定可能な情報のコードデータを前記コード生成部で生成し、生成したコードデータのコードを当該被記録材の記録面又は裏面へ記録する、ことを特徴とした記録装置。
【請求項７】
請求項６において、前記記録制御装置は、前記ユーザインタフェース手段によるユーザの操作に応じて、前記コード読み取り手段で読み取ったコードのデータを前記コード解読部で解読してデジタル画像ファイルの保存場所を取得し、取得したデジタル画像ファイルの保存場所を前記ユーザインタフェース手段でユーザに表示し、取得した保存場所からデジタル画像ファイルを入力して当該デジタル画像ファイルのデジタル画像の画像を被記録材へ記録する、ことを特徴とした記録装置。
【発明の詳細な説明】
【技術分野】
【０００１】
本発明は、デジタル画像ファイル入力手段を備えた記録装置に関する。
【背景技術】
【０００２】
デジタル画像ファイル入力手段を備えた記録装置の従来技術の一例としては、デジタルカメラで撮影された画像データから写真プリントの作成及び焼き増しを行うＤＰＥ店やラボ等における写真プリントシステムが公知である（例えば、特許文献１を参照）。当該従来技術においては、写真プリントの際に、二次元バーコード等の画像に変換した画像サーバのＵＲＬ情報を画像とともに重ねてプリントする。焼き増し依頼時には、元の写真プリントさえ提示すれば、その写真プリントにプリントされている二次元バーコードを読み取ることで、ＤＰＥ店等は、当該写真プリントのデジタル画像ファイルを保存している画像サーバのＵＲＬを取得できる。そして、ＤＰＥ店等は、取得したＵＲＬの画像サーバから当該写真プリントのデジタル画像ファイルをダウンロードして焼き増しを実行することができる。したがって、最初の写真プリント作成時にのみデジタル画像ファイルをＤＰＥ店等に持参すれば、焼き増し依頼時には、焼き増しを希望する写真プリントを持参するだけで良く、利用者は、改めてデジタル画像ファイルを持参することなく最初の写真プリント時と同等の高画質な焼き増しプリントを入手することが可能になる。
【０００３】
【特許文献１】特開２００２−７７４７４号公報
【発明の開示】
【発明が解決しようとする課題】
【０００４】
ところで、例えば、一般的なデジタルカメラが対応しているＥｘｉｆ（Exchangeable image file format）規格のファイル形式のデジタル画像ファイルには、撮影した画像データの他、撮影時の様々な撮影情報をデジタルカメラにおいて保存することができる。例えば、撮影日時、シャッター速度、絞り値、ＩＳＯ感度、カメラ機種名、画素数、圧縮モード、色空間、撮影者名、著作権指定、等の多種多様な情報（以下、「Ｅｘｉｆ情報」という。）を情報ごとに予め指定されているデジタル画像ファイルの各エリアに記述することができるようになっている。また、近年は、高機能なデジタル一眼レフカメラが普及しつつあり、高機能なデジタル一眼レフカメラによる高度なデジタル写真撮影を趣味とするユーザが増えつつある。高度な写真撮影技術を追求するセミプロレベルのユーザにしてみれば、自分が撮影したデジタル画像のデジタル写真プリントを鑑賞しつつ、さらなる写真撮影技術の向上を模索する上では、自分が撮影したデジタル画像のＥｘｉｆ情報の内容をいつでも参照したいというニーズが高いと考えられる。
【０００５】
しかしながら、デジタル画像ファイルに記述されているＥｘｉｆ情報を参照するには、ファイル名やサムネイル画像等を所望のデジタル写真プリントの画像と見比べながら、その画像データが含まれるデジタル画像ファイルを探し出さなければならない。そのため、所望のデジタル写真プリントからデジタル画像ファイルのＥｘｉｆ情報等への適確かつ迅速なアクセスを可能するためには、ユーザは、デジタル写真プリントとデジタル画像ファイルとを対応付けて適切に管理する必要がある。しかし、膨大な数のデジタル画像ファイルを所有するユーザにとっては、それは煩雑な作業をユーザに強いるものであった。
【０００６】
本発明は、このような状況に鑑み成されたものであり、その課題は、所望のデジタル写真プリントの画像をデジタルカメラで撮影した際の撮影時における付属情報等を、そのデジタル写真プリントから簡単かつ直接的に取得することができるデジタル写真プリントを実現可能な記録装置を提供することにある。
【課題を解決するための手段】
【０００７】
上記課題を達成するため、本発明の第１の態様は、デジタル画像ファイルを入力可能なデジタル画像ファイル入力手段と、ユーザインタフェース手段と、被記録材への記録を実行可能な構成を有する記録実行手段と、前記デジタル画像ファイル入力手段の制御、前記ユーザインタフェース手段の制御及びデジタル画像ファイルの画像を前記記録実行手段で被記録材の記録面に記録する制御を実行可能な構成を有する記録制御装置とを備えた記録装置であって、前記記録制御装置は、所定形式のコードデータを生成可能なコード生成部を有し、前記ユーザインタフェース手段によるユーザの操作に応じて、前記デジタル画像ファイル入力手段で入力したデジタル画像ファイルの画像データの画像を被記録材の記録面へ記録するとともに、デジタルカメラでの撮影時における付属情報が画像データとともに保存されているファイル形式のデジタル画像ファイルである場合には、前記コード生成部で当該デジタル画像ファイルに含まれる前記付属情報のコードデータを生成し、生成した前記付属情報のコードデータのコードを当該被記録材の記録面又は裏面へ記録する、ことを特徴とした記録装置である。
【０００８】
このように、デジタル画像ファイルの画像データの画像を記録面に記録してデジタル写真プリントを作成するとともに、そのデジタル画像ファイルのデジタルカメラでの撮影時における付属情報をコードに変換して当該被記録材の記録面又は裏面に記録する。ここで、コードとは、例えば、公知のバーコード又は公知の二次元コードであり、いわゆる３次元コードも含まれる。また、デジタルカメラでの撮影時における付属情報が画像データとともに保存されているファイル形式のデジタル画像ファイルとは、例えば、前述したＥｘｉｆ形式のデジタル画像ファイルであるが、特にＥｘｉｆ形式に限定されるものではない。
【０００９】
ユーザは、デジタル写真プリントに記録されているコードをバーコードリーダや携帯電話等の読み取り装置で読み取ることによって、そのデジタル写真プリントの画像データのデジタル画像ファイルを参照しなくても、当該デジタル画像ファイルに保存されている付属情報に記述されている撮影日時、シャッター速度、絞り値、ＩＳＯ感度、カメラ機種名等の様々な撮影時情報の内容を取得することができる。したがって、所望のデジタル写真プリントの画像についての撮影時情報等を取得する際には、手元にデジタル画像ファイルがある必要はないので、膨大なデジタル画像ファイルの中から当該デジタル写真プリントの画像データが保存されたデジタル画像ファイルを探し出す手間が一切不要になる。すなわち、デジタル写真プリントとバーコードリーダや携帯電話等の読み取り装置さえあれば、そのデジタル写真プリントの画像の撮影時情報等を簡単に取得することができる。
【００１０】
これにより、本発明の第１の態様に記載の記録装置によれば、この記録装置で作成したデジタル写真プリントとバーコードリーダや携帯電話等の読み取り装置さえあれば、所望のデジタル写真プリントの画像をデジタルカメラで撮影した際の撮影時における付属情報等を簡単に取得することができるので、所望のデジタル写真プリントの画像をデジタルカメラで撮影した際の撮影時における付属情報等を、そのデジタル写真プリントから簡単かつ直接的に取得することができるデジタル写真プリントを実現することができるという作用効果が得られる。
【００１１】
本発明の第２の態様は、前述した第１の態様において、前記コード生成部は、前記付属情報に含まれる各種情報の中で前記ユーザインタフェース手段を介してユーザが選択した情報のみ抽出してコードデータを生成する、ことを特徴とした記録装置である。  
例えば、前述したＥｘｉｆ形式のデジタル画像ファイルに保存されている付属情報は、多種多様な情報を含んでいるため、全ての情報をコード化するとなると被記録材に記録（プリント）するコードが大型化してしまったり、多数のコードに分割して記録（プリント）しなければならなくなってしまったりする可能性がある。
【００１２】
そこで、ユーザインタフェース手段を介してユーザが選択した情報のみ抽出してコードデータを生成することができるようにすれば、デジタル画像ファイルに保存されている付属情報に記述されている多種多様な情報の中からユーザが用途に応じて選択した必要な情報だけが含まれるコードを記録したデジタル写真プリントを行うことができる。したがって、コードに含まれる情報量をユーザの用途に応じて最小化することが可能になるので、コードが大型化してしまうことや付属情報が多数のコードに分割されてしまうことを防止することができる。
【００１３】
本発明の第３の態様は、前述した第１の態様又は第２の態様において、被記録材に記録されている前記所定形式のコードを読み取り可能なコード読み取り手段を備え、前記記録制御装置は、前記所定形式のコードデータを解読してコードに含まれる情報を取得するコード解読部を有し、前記ユーザインタフェース手段によるユーザの操作に応じて、前記コード読み取り手段で読み取ったコードのデータを前記コード解読部で解読して前記付属情報を取得し、取得した前記付属情報を前記ユーザインタフェース手段でユーザに表示する、ことを特徴とした記録装置である。  
このように、前述した第１の態様又は第２の態様に記載の記録装置において、さらにデジタル写真プリントに記録されているコードを読み取り可能なコード読み取り手段を設けることによって、デジタル画像ファイルに含まれる付属情報のコードを記録したデジタル写真プリントを作成することと、所望のデジタル写真プリントのコードを読み取って付属情報を取得することが、その記録装置だけで可能になるので、バーコードリーダや携帯電話等の読み取り装置を別途用意する必要がなくなる。
【００１４】
本発明の第４の態様は、前述した第３の態様において、前記記録制御装置は、前記ユーザインタフェース手段を介してユーザが設定した条件でデジタル画像ファイルの画像データの画像処理を実行する画像処理部を有し、前記ユーザインタフェース手段によるユーザの操作に応じて、前記デジタル画像ファイル入力手段で入力したデジタル画像ファイルの画像データの画像を被記録材の記録面へ記録するとともに、当該デジタル画像ファイルの画像データの画像を被記録材に記録したときの画像処理設定のコードデータを前記コード生成部で生成し、生成した前記画像処理設定のコードデータのコードを当該被記録材の記録面又は裏面へ記録する、ことを特徴とした記録装置である。
【００１５】
このように、デジタル画像ファイルの画像データの画像を被記録材の記録面に記録してデジタル写真プリントを作成するとともに、その記録時の画像処理設定をコードに変換して当該被記録材の記録面又は裏面に記録する。ここで、画像処理設定とは、例えば、一般的な画像のコントラスト、カラーバランス、明るさ補正、エッジ強調、記憶色補正（葉の緑色、空の青色、肌色等）等の自動補正又は手動補正の設定である。ユーザは、被記録材に記録されているコードを記録装置に設けられたコード読み取り手段又はバーコードリーダや携帯電話等の読み取り装置で読み取ることによって、当該デジタル写真プリントの作成時における画像処理設定の内容を取得することができる。
【００１６】
例えば、同じデジタル写真プリントを再度作成する際に、元のデジタル写真プリントのコードを読み取って元のデジタル写真プリントを作成した時の画像処理設定を取得すれば、全く同じ画像処理設定で再度記録を実行して全く同じデジタル写真プリントを作成することを簡単に行うことができる。尚、この画像処理設定は、デジタル写真プリントの付属情報とともにコード化しても良いし、付属情報のコードとは別個のコードとして被記録材に記録するようにしても良い。
【００１７】
本発明の第５の態様は、前述した第４の態様において、前記記録制御装置は、前記ユーザインタフェース手段によるユーザの操作に応じて、前記コード読み取り手段で読み取られたコードのデータを前記コード解読部で解読して前記画像処理設定を取得し、取得した前記画像処理設定を前記ユーザインタフェース手段でユーザに表示し、取得した前記画像処理設定の内容で前記画像処理部の設定を自動設定する、ことを特徴とした記録装置である。  
このように、デジタル写真プリントに記録されているコードを記録装置に設けられたコード読み取り手段で読み取って当該デジタル写真プリントの画像処理設定を取得することによって、取得した画像処理設定をそのまま記録装置の画像処理設定に反映させて自動設定することができる。したがって、例えば、同じデジタル写真プリントを再度作成する際には、元のデジタル写真プリントのコードを読み取るだけで、全く同じ画像処理設定を自動設定して記録を実行することができるので、元のデジタル写真プリントと全く同じデジタル写真プリントを作成することをさらに簡単に行うことができる。
【００１８】
本発明の第６の態様は、前述した第１の態様〜第５の態様のいずれかにおいて、前記記録制御装置は、前記ユーザインタフェース手段によるユーザの操作に応じて、前記デジタル画像ファイル入力手段で入力したデジタル画像ファイルの画像データの画像を被記録材の記録面へ記録するとともに、当該デジタル画像ファイルの保存場所を特定可能な情報のコードデータを前記コード生成部で生成し、生成したコードデータのコードを当該被記録材の記録面又は裏面へ記録する、ことを特徴とした記録装置である。  
このように、デジタル画像ファイルの画像データの画像を記録面に記録してデジタル写真プリントを作成するとともに、当該デジタル画像ファイルの保存場所を特定可能な情報をコードに変換して当該被記録材の記録面又は裏面に記録する。ユーザは、被記録材に記録されているコードを記録装置に設けられたコード読み取り手段又はバーコードリーダや携帯電話等の読み取り装置で読み取ることによって、当該デジタル写真プリントの元画像データが含まれるデジタル画像ファイルが保存されている保存場所を特定することができる。したがって、所望のデジタル写真プリントの元画像データが含まれるデジタル画像ファイルへ簡単かつ確実にアクセスすることができる。
【００１９】
本発明の第７の態様は、前述した第６の態様において、前記記録制御装置は、前記ユーザインタフェース手段によるユーザの操作に応じて、前記コード読み取り手段で読み取ったコードのデータを前記コード解読部で解読してデジタル画像ファイルの保存場所を取得し、取得したデジタル画像ファイルの保存場所を前記ユーザインタフェース手段でユーザに表示し、取得した保存場所からデジタル画像ファイルを入力して当該デジタル画像ファイルのデジタル画像の画像を被記録材へ記録する、ことを特徴とした記録装置である。  
このように、デジタル写真プリントに記録されているコードを読み取ることによって、当該デジタル写真プリントの元画像データが含まれるデジタル画像ファイルを保存場所から取得することが可能になるので、当該デジタル写真プリントの元画像データの画像を液晶ディスプレイ等に表示したり、同じデジタル写真プリントを再度作成したりすることを簡単に行うことができる。
【発明を実施するための最良の形態】
【００２０】
以下、本発明の実施の形態を図面に基づいて説明する。  
まず、本発明に係る「記録装置」の一例としてのインクジェット式記録装置の概略構成について説明する。
【００２１】
図１は、本発明に係るインクジェット式記録装置の要部平面図であり、図２はその側面図である。  図３は、本発明に係るインクジェット式記録装置の概略のブロック図である。  
インクジェット式記録装置５０には、「被記録材」としての記録紙Ｐへの記録を実行可能な「記録実行手段」を構成する手段として、記録紙Ｐに対して主走査方向Ｘへ移動可能にキャリッジガイド軸５１に軸支されたキャリッジ６１が設けられている。キャリッジ６１には、「被記録材」としての記録紙Ｐの記録面にドットを形成して記録を行うための記録ヘッド６２と主走査方向Ｘの記録紙Ｐの端部を検出するためのＰＷセンサ３４とが搭載されている。キャリッジ６１は、ＣＲモータ６３（図３）の回転駆動力が、無端ベルトによるベルト伝達機構（図示せず）によって伝達されて主走査方向Ｘに往復動する。このキャリッジ６１を主走査方向Ｘへ往復動させることで、記録紙Ｐに対して記録ヘッド６２を主走査方向Ｘに走査させることができる。記録ヘッド６２のヘッド面と対向する位置には、記録紙Ｐを摺接支持しつつ記録紙Ｐの記録面と記録ヘッド６２のヘッド面との間隔を所定間隔に規定するプラテン５２が設けられている。
【００２２】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２３】
また、インクジェット式記録装置５０には、記録紙Ｐへの記録を実行可能な「記録実行手段」を構成する「被記録材搬送手段」として、記録紙Ｐを副走査方向Ｙに搬送する搬送駆動ローラ５３と搬送従動ローラ５４が設けられている。搬送駆動ローラ５３は、「被記録材搬送用モータ」としてのＰＦモータ５８（図３）の回転駆動力が歯車伝達されて回転する。搬送従動ローラ５４は、複数設けられており、従動回転可能に軸支された状態で搬送駆動ローラ５３に押圧付勢されている。搬送従動ローラ５４の押圧付勢力で高摩擦抵抗被膜が施された搬送駆動ローラ５３の外周面に押しつけられた記録紙Ｐは、その摩擦抵抗によって搬送駆動ローラ５３の外周面に密着する。その状態で搬送駆動ローラ５３を搬送方向へ回転させることによって、記録紙Ｐは、搬送従動ローラ５４が従動回転しつつ副走査方向Ｙに搬送され、それによって、記録ヘッド６２を記録紙Ｐに対して副走査方向Ｙに走査させることができる。
【００２４】
給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力によって、給紙トレイ５７に置かれた記録紙Ｐが給紙される。その際に、分離パッドの摩擦抵抗によって、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、搬送される記録紙Ｐの先端及び後端を検出する公知の紙検出器３３が配設されている。
【００２５】
一方、記録紙Ｐを副走査方向Ｙへ搬送可能な「被記録材搬送手段」及び記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、記録実行後の記録紙Ｐは、排紙駆動ローラ５５の回転によって副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に伴い従動回転する。  
そして、給紙ローラ５７ｂ、搬送駆動ローラ５３及び排紙駆動ローラ５５を回転駆動するＰＦモータ５８（図３）及びキャリッジ６１を主走査方向Ｘに駆動するＣＲモータ６３（図３）は、記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００２６】
引き続き図１〜図３を参照しながら記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、「被記録材搬送用モータ駆動回路」としてのＰＦモータドライバ１０６、「キャリッジ用モータ駆動回路」としてのＣＲモータドライバ１０７及びヘッドドライバ１０８を備えている。ＭＰＵ１０４には、ＡＳＩＣ１０３を介して、ロータリエンコーダ３１、リニアエンコーダ３２、紙検出器３３、ＰＷセンサ３４及びインクジェット式記録装置５０の電源をＯＮ／ＯＦＦするための電源スイッチ３５の出力信号が入力される。
【００２７】
公知のロータリエンコーダ３１は、搬送駆動ローラ５３の回転量を検出するべくＰＦモータ５８の回転周期に連動した周期のパルス信号を出力するように配設されている。ロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
公知のリニアエンコーダ３２は、キャリッジ６１の移動量を検出するべくＣＲモータ６３の回転周期に連動した周期のパルス信号を出力するように配設されている。リニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルス数でパルス周期が移動速度に伴い変化するリニアスケールセンサ３２２の出力信号は、ＡＳＩＣ１０３を介してＭＰＵ１０４へ出力される。
【００２８】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行するための演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８の速度制御を行う制御回路及びＣＲモータ６３の速度制御を行う制御回路並びに記録ヘッド６２の駆動制御を行う制御回路（図示せず）を有している。ＭＰＵ１０４から送られてくる制御命令、ロータリエンコーダ３１の出力信号及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。  
ＡＳＩＣ１０３は、インクジェット式記録装置５０の本体に設けられたＵＳＢコネクタ（図示せず）を介して接続されるデジタルカメラ３０２とのＵＳＢインタフェースを実現して、デジタルカメラ３０２等からデジタル画像ファイルを入力可能な「デジタル画像ファイル入力手段」としての機能を実現するＵＳＢＩＦ１１１を有している。
【００２９】
また、インクジェット式記録装置５０は、デジタル画像ファイルを入力可能な「デジタル画像ファイル入力手段」としてメモリカード３０１のデータを読み込み可能なメモリカードスロット３６と、「コード読み取り手段」としての画像読み取り装置であるスキャナ３７と、携帯電話４０等の赤外線通信機能を有する電子機器から赤外線通信でデジタル画像ファイルを入力する「デジタル画像ファイル入力手段」としての赤外線送受信器３９とを備えている。インクジェット式記録装置５０は、メモリカードスロット３６に挿入されたメモリカード３０１に保存されているデジタル画像ファイル又は携帯電話４０等から赤外線通信で受信したデジタル画像ファイルから前述したダイレクトプリントを実行することができる。  
尚、「デジタル画像ファイル入力手段」の態様は、特にＵＳＢＩＦ１１２、メモリカードスロット３６又は赤外線送受信器３９に限定されるものではなく、例えば無線ＬＡＮ等の情報伝送手段やＣＤ（Compact Disk）又はＤＶＤ（Digital Versatile Disk）等に保存されているデジタル画像ファイルを入力可能なディスクドライブ等、どのような態様のものであっても差し支えない。
【００３０】
図４は、記録制御部１００の要部の機能ブロック図である。  
「記録制御装置」としての記録制御部１００は、機能ブロックとして、システム制御部１５１、記録実行手段制御部１５２、ファイルシステム１５３、静止画・動画制御部１５４、スキャナ制御部１５５、赤外線送受信制御部１５６、情報記憶部１５７及びＵＩ制御部１５８を有している。  
記録実行手段制御部１５２は、記録実行手段による記録紙Ｐへの記録制御を実行する。ファイルシステム１５３は、メモリカードスロット３６を介してのファイル入出力制御を実行する。静止画・動画制御部１５４は、圧縮されたデジタル静止画ファイルやデジタル動画ファイルの復号（デコード）を実行する。復号されたデジタル画像又はデジタル動画は、液晶ディスプレイ３８１で再生表示することができる。スキャナ制御部１５５は、スキャナ３７を介しての画像読み取り制御を実行する。赤外線送受信制御部１５６は、赤外線送受信器３９を介して携帯電話４０等の赤外線通信機能を有する電子機器との赤外線通信制御を実行する。情報記憶部１５７には、二次元コードの生成や解読、画像処理制御等に必要なデータ等が記憶される。ＵＩ（ユーザインタフェース）制御部１５８は、インクジェット式記録装置５０本体に設けられた「表示手段」としての液晶ディスプレイ３８１及び「操作入力手段」としての操作パネル３８２を有するユーザインタフェース手段３８の操作入力制御及び画面表示制御を実行する。
【００３１】
システム制御部１５１は、インクジェット式記録装置５０全体のシステム制御の他、ユーザインタフェース手段３８を介してユーザが設定した条件でデジタル画像ファイルの画像データの画像処理を実行する「画像処理部」としての機能並びに所定形式のコードデータを生成可能な「コード生成部」及び所定形式のコードデータを解読してコードに含まれる情報を取得する「コード解読部」としての二次元コード生成・解読機能も有している。
【００３２】
システム制御部１５１は、メモリカードスロット３６を介して入力可能な状態にあるメモリカード３０１に保存されているデジタル画像ファイルのうち、ユーザインタフェース手段３８を操作してユーザが任意に選択して記録実行操作をしたデジタル画像ファイルについて、静止画・動画制御部１５４でデコード処理を実行するとともに、ユーザインタフェース手段３８で設定された画像処理設定に従って画像処理を実行した後、画像処理後の画像データから記録データを生成する。記録実行手段制御部１５２は、システム制御部１５１が生成した画像処理後の画像データの記録データに基づいて記録実行手段に対する記録制御を実行し、それによって、ユーザインタフェース手段３８で設定された画像処理設定に基づく画像処理が施された画像が記録紙Ｐの記録面に記録されたデジタル写真プリントが作成される。
【００３３】
また、システム制御部１５１は、メモリカードスロット３６を介して入力したデジタル画像ファイルの画像データの画像を記録紙Ｐの記録面へ記録するとともに、そのデジタル画像ファイルがＥｘｉｆ形式等のデジタルカメラ撮影時における付属情報が画像データとともに保存されているファイル形式のデジタル画像ファイルである場合には、そのデジタル画像ファイルに含まれる付属情報から二次元コードデータを生成し、生成した二次元コードデータの二次元コードをその記録紙Ｐの記録面又は裏面へ記録する機能を有している。尚、付属情報に含まれる各種情報のうちユーザがユーザインタフェース手段３８を介して任意に選択した情報のみ抽出して二次元コードデータを生成できるのが好ましい。コードに含まれる情報量をユーザの用途に応じて最小化することが可能になるので、コードが大型化してしまうことや付属情報が多数のコードに分割されてしまうことを防止することができる。また、必要な情報のみ選択した後も情報量が依然として多い場合には、複数の二次元コードに分割して記録紙Ｐへ記録すれば良い。
【００３４】
さらに、システム制御部１５１は、メモリカードスロット３６を介して入力したデジタル画像ファイルの画像データの画像を記録紙Ｐの記録面へ記録するとともに、そのデジタル画像ファイルの画像データの画像を記録紙Ｐに記録したときの画像処理設定から二次元コードデータを生成し、生成した二次元コードデータの二次元コードをその記録紙Ｐの記録面又は裏面へ記録する機能も有している。  
さらに、システム制御部１５１は、メモリカードスロット３６を介して入力したデジタル画像ファイルの画像データの画像を記録紙Ｐの記録面へ記録するとともに、ユーザインタフェース手段３８から入力されたＵＲＬ情報等の当該デジタル画像ファイルの保存場所を特定可能な情報から二次元コードデータを生成し、生成した二次元コードデータの二次元コードをその記録紙Ｐの記録面又は裏面へ記録する機能も有している。
【００３５】
上述したデジタル画像ファイルの付属情報の二次元コード、記録実行時の画像処理設定情報の二次元コード及び当該デジタル画像ファイルの保存場所情報の二次元コードは、ユーザインタフェース手段３８によるユーザの操作に応じて、記録紙Ｐへ記録するか否かを任意かつ個別的に選択することができる。また、これらの情報を一の二次元コードに含めて記録することも選択できるようにしても良い。さらに、二次元コードを記録紙Ｐの記録面に記録するか裏面に記録するかもユーザインタフェース手段３８でユーザが任意に選択することができるようにするのが好ましい。表面の画像に重ねて二次元コードを記録する場合は、画像の隅の一部に二次元コードより大きい白抜き部分を設け、その白抜き部分に黒又は濃い色で記録することによって。画像に重ねて記録しつつ二次元コードを読み取り可能な状態で記録することができる。さらに、表面の画像に重ねて二次元コードを記録する場合には、その二次元コードの記録位置を画像内容に応じてユーザが任意に指定することができるようにするのが好ましい。また、裏面に二次元コードを記録する場合には、自動両面記録が可能なインクジェット式記録装置５０でなくても、表面記録終了後の記録紙Ｐを裏返して給紙トレイ５７に再セットして記録実行操作をするよう液晶ディスプレイ３８１に表示してユーザに通知する等すれば、裏面への二次元コードの記録が可能である。
【００３６】
図５は、本発明に係るインクジェット式記録装置５０におけるデジタル写真プリントの第１実施例を図示したものである。  
メモリカードスロット３６に挿入されたメモリカード３０１又はＵＳＢ接続されたデジタルカメラ３０２からユーザが選択したデジタル画像ファイルＦが読み込まれる。読み込まれたデジタル画像ファイルＦがＥｘｉｆ形式等のデジタル画像ファイルである場合には、画像データＤの他にサムネイルＳ及び付属情報（撮影情報）Ｔが保存されている。サムネイルＳは、液晶ディスプレイ３８１にメモリカード３０１内のデジタル画像ファイルの一覧を表示する際等に利用される。そして、デジタル画像ファイルＦの記録を実行する操作がユーザによりなされると、公知のダイレクトプリント機能により画像データＤの画像Ｇが記録紙Ｐ１の記録面へ記録されるとともに、Ｅｘｉｆ形式のデジタル画像ファイルに含まれている付属情報Ｔの二次元コードＢ１（以下、「Ｅｘｉｆ情報の二次元コードＢ１」という。）が記録紙Ｐ１の記録面又は裏面へ記録されてデジタル写真プリントが作成される。
【００３７】
作成されたデジタル写真プリントに記録されているＥｘｉｆ情報の二次元コードＢ１は、例えば、携帯電話４０のカメラ機能等を利用した公知のコード読み取り装置４１で読み取ると、携帯電話４０の表示部４２に付属情報Ｔの内容を表示させることができるとともに、そのデータを携帯電話４０の赤外線通信装置４３を利用してインクジェット式記録装置５０へ送信すると、インクジェット式記録装置５０の液晶ディスプレイ３８１に付属情報Ｔの内容を表示させることもできる。或いは、インクジェット式記録装置５０のスキャナ３７でＥｘｉｆ情報の二次元コードＢ１を読み取ると、二次元コード生成・解読機能を有するシステム制御部１５１で解読して付属情報Ｔを得ることができ、その内容をインクジェット式記録装置５０の液晶ディスプレイ３８１に表示させることもできるので、ユーザは、バーコードリーダや携帯電話４０等の読み取り装置を別途用意しなくてもインクジェット式記録装置５０で付属情報Ｔの内容を取得することができる。
【００３８】
このように本発明に係るインクジェット式記録装置５０によれば、このインクジェット式記録装置５０で記録紙Ｐへ記録を実行して作成したデジタル写真プリントに記録された二次元コードＢ１を、バーコードリーダや携帯電話等の読み取り装置或いはインクジェット式記録装置５０のスキャナ３７で読み取ることによって、そのデジタル写真プリントの画像データＤのデジタル画像ファイルＦを参照しなくても、当該デジタル画像ファイルに保存されている付属情報Ｔに記述されている撮影日時、シャッター速度、絞り値、ＩＳＯ感度、カメラ機種名等の様々な撮影時情報の内容を取得することができる。したがって、ユーザは、所望のデジタル写真プリントの画像についての撮影時情報等を取得する際には、膨大なデジタル画像ファイルの中から当該デジタル写真プリントの画像データが保存されたデジタル画像ファイルを探し出す手間が一切不要になる。すなわち、本発明に係るインクジェット式記録装置５０によれば、所望のデジタル写真プリントの画像をデジタルカメラで撮影した際の撮影時における付属情報Ｔ等を、そのデジタル写真プリントから簡単かつ直接的に取得することができるデジタル写真プリントを実現することができる。
【００３９】
図６は、本発明に係るインクジェット式記録装置５０におけるデジタル写真プリントの第２実施例を図示したものである。  
このように、デジタル写真プリントのデジタル画像ファイルＦに含まれる付属情報Ｔの内容をコード化したＥｘｉｆ情報の二次元コードＢ１に加えて、例えば、当該デジタル画像ファイルＦが保存されているサーバ２００のＵＲＬ情報をコード化したＵＲＬ情報の二次元コードＢ２及び当該デジタル写真プリントを作成した際にインクジェット式記録装置５０において設定した画像処理設定情報の二次元コードＢ３（以下、「プリンタ情報の二次元コードＢ３」という。）を記録紙Ｐ１の記録面又は裏面に記録することもできる。ユーザは、このＥｘｉｆ情報の二次元コードＢ１、ＵＲＬ情報の二次元コードＢ２及びプリンタ情報の二次元コードＢ３を携帯電話４０のカメラ機能等を利用した公知のコード読み取り装置４１で読み取って、携帯電話４０の赤外線通信装置４３を利用してインクジェット式記録装置５０へ送信する。この場合、携帯電話４０側で各二次元コードデータを解読して各情報のデータをインクジェット式記録装置５０に送信できるとともに携帯電話４０の表示部４２で内容を確認できるようにしても良いし、各二次元コードデータをインクジェット式記録装置５０にそのまま送信して、インクジェット式記録装置５０のシステム制御部１５１で各二次元コードを解読するようにしても良い。
【００４０】
記録制御部１００は、ＵＲＬ情報の二次元コードＢ２からサーバ２００のアドレスを取得する。サーバ２００のアドレスを取得することによって、所望のデジタル写真プリントの元画像データが含まれるデジタル画像ファイルへ簡単かつ確実にアクセスすることができ、記録制御部１００は、サーバ２００から当該デジタル画像ファイルをダウンロードして取得することができる。また、記録制御部１００は、プリンタ情報の二次元コードＢ３から取得したデジタル写真プリントの作成時に設定された手動補正による画像処理設定又はＥｘｉｆ情報の二次元コードＢ１から取得したＥｘｉｆ情報に含まれる自動補正による画像処理設定と同じ内容で画像処理設定を自動設定する。画像処理設定とは、例えば、一般的な画像のコントラスト、カラーバランス、明るさ補正、エッジ強調、記憶色補正（葉の緑色、空の青色、肌色等）等の設定である。さらに、記録実行時のインクジェット式記録装置５０の機種名、インク種類（染料系や顔料系等）、記録モード（高画質記録モード等）のデジタル写真プリントを作成したときのインクジェット式記録装置５０に関する情報を画像処理情報に含ませても良い。
【００４１】
そして、ユーザがインクジェット式記録装置５０の記録実行操作を行うことによって、サーバ２００から取得したデジタル画像ファイルの画像データに対して、プリンタ情報の二次元コードＢ３又はＥｘｉｆ情報の二次元コードＢ１から取得した画像処理設定の画像処理が施され、画像処理後の画像データの画像が記録紙Ｐ２に記録されてデジタル写真プリントが作成される。それによって、例えば、同じデジタル写真プリントを再度作成する際に、元のデジタル写真プリントと全く同じ画像処理設定で再度記録を実行して全く同等のデジタル写真プリントを作成することを簡単に行うことができる。尚、サーバ２００は、例えば、いわゆる家庭内ＬＡＮに接続されたプライベートなサーバでも良いし、ユーザＩＤやパスワード認証等で一定のアクセス制限がされたインターネット上のサーバでも本発明の実施は可能である。
【００４２】
図７は、本発明に係るインクジェット式記録装置５０におけるデジタル写真プリントの第３実施例を図示したものである。  
このように、デジタル写真プリントに記録されているＥｘｉｆ情報の二次元コードＢ１、ＵＲＬ情報の二次元コードＢ２及びプリンタ情報の二次元コードＢ３をインクジェット式記録装置５０のスキャナ３７で読み取るようにしても良い。第２実施例と同様に記録制御部１００は、ＵＲＬ情報の二次元コードＢ２を解読して得たＵＲＬのサーバ２００からダウンロードした当該デジタル画像ファイルについて、プリンタ情報の二次元コードＢ３を解読して取得した手動補正による画像処理設定又はＥｘｉｆ情報の二次元コードＢ１を解読して取得した自動補正による画像処理設定と同じ内容で画像処理設定を自動設定して記録紙Ｐ２への記録を実行してデジタル写真プリントを作成する。それによって、ユーザは、バーコードリーダや携帯電話４０等の読み取り装置を別途用意しなくても、同じデジタル写真プリントを再度作成する際に、元のデジタル写真プリントと全く同じ画像処理設定で再度記録を実行して全く同等のデジタル写真プリントを作成することを簡単に行うことができる。
【００４３】
図８は、本発明に係るインクジェット式記録装置５０におけるデジタル写真プリントの第４実施例を図示したものである。  
このように、デジタル画像ファイルの保存場所がメモリカード３０１である場合には、第２実施例及び第３実施例におけるＵＲＬ情報の二次元コードＢ２に代えてデジタル画像ファイルが保存されているメモリカード３０１を特定する情報の二次元コードＢ４（以下「ファイル情報の二次元コードＢ４」という。）をデジタル写真プリント（記録紙Ｐ１）に記録することもできる。このファイル情報の二次元コードＢ４は、例えば、メモリカード３０１にユニークなＩＤを付与し、そのメモリカード３０１のＩＤ情報をコード化したものとすれば良い。記録制御部１００は、ファイル情報の二次元コードＢ４を解読して得たメモリカード３０１のＩＤを液晶ディスプレイ３８１に表示する。ユーザは、そのＩＤが付されたメモリカード３０１をメモリカードスロット３６に挿入する。
【００４４】
記録制御部１００は、例えば、そのメモリカード３０１内のＩＤ情報を参照し、一致していれば、ファイル情報の二次元コードＢ４を解読して得たデジタル画像ファイルのファイル名から当該デジタル画像ファイルを検索して読み込む。そして、記録制御部１００は、プリンタ情報の二次元コードＢ３を解読して取得した手動補正による画像処理設定又はＥｘｉｆ情報の二次元コードＢ１を解読して取得した自動補正による画像処理設定と同じ内容で画像処理設定を自動設定し、メモリカード３０１から読み込んだデジタル画像ファイルの画像データに対して画像処理を施して、画像処理後の画像データを記録紙Ｐ２へ記録してデジタル写真プリントを作成する。それによって、ユーザは、膨大なデジタル画像ファイルの中から所望のデジタル写真プリントの画像データが保存されたデジタル画像ファイルを簡単に特定して所望のデジタル写真プリントを再度作成することができる。
【００４５】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４６】
【図１】本発明に係るインクジェット式記録装置の概略の平面図。
【図２】本発明に係るインクジェット式記録装置の概略の側面図。
【図３】本発明に係るインクジェット式記録装置の概略のブロック図。
【図４】記録制御部の要部の機能ブロック図。
【図５】本発明に係るデジタル写真プリントの第１実施例を図示したもの。
【図６】本発明に係るデジタル写真プリントの第２実施例を図示したもの。
【図７】本発明に係るデジタル写真プリントの第３実施例を図示したもの。
【図８】本発明に係るデジタル写真プリントの第４実施例を図示したもの。
【符号の説明】
【００４７】
３６  メモリカードスロット、３７  スキャナ、３８  操作表示部、３９  赤外線送受信器、４０  携帯電話、４１  コード読み取り装置、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、６１  キャリッジ、６２  記録ヘッド、１００  記録制御部、１０１  ＲＯＭ、１０２  ＲＡＭ、１０３  ＡＳＩＣ、１０４  ＣＰＵ、１０５  不揮発性メモリ、３０１  メモリカード、３０２  デジタルカメラ、Ｂ１〜Ｂ４  二次元コード、３８１  液晶ディスプレイ、３８２  操作パネル、Ｐ  記録紙、Ｘ  主走査方向、Ｙ  副走査方向
【図１】
2007267112.tif 000003
【図２】
2007267112.tif 000004
【図３】
2007267112.tif 000005
【図４】
2007267112.tif 000006
【図５】
2007267112.tif 000007
【図６】
2007267112.tif 000008
【図７】
2007267112.tif 000009
【図８】
2007267112.tif 000010